(57)【要約】      （修正有）【課題】組織を傷つけることのない全体に柔らかい弾性のある材料で末端部が形成された、糞便処理のための医療機器を提供する。【解決手段】体腔又は管に挿入されるように作られた機器の長い管状部材の端部が全体に柔らかい、弾性のある材料で形成される。この端部は、完全に膨張した形状に形成された膨張性のバルーン１４をもつ。バルーン１４は、予め決められた低い圧力レベルで膨張する。挿入器具は、柔らかく弾性のあるスリーブ８６によって取り囲まれた堅い芯を含む。スリーブ８６は、裏返し可能な部分を形成するように、堅い芯を超えて延びる。機器の柔らかい端部は、器具の近くに配置され、バルーン１４が器具に巻き付けられ、スリーブ８６の部分が機器を覆うように裏返され、バルーン１４と柔らかくて丸い挿入端が圧縮される。そのユニットは、体腔に挿入される。その後、機器は、器具から分離され、器具は引き出される。【選択図】図１
2011062533.tif 000002
【特許請求の範囲】
【請求項１】
直腸又は瘻孔のための排泄物処理機器において、末端部及び基端部を有する長い管状部材と、前記末端部を取り囲む膨張性のバルーンと、前記バルーンに操作可能に接続された、外部から使用しうる膨張管と、排泄物の収集容器と、前記容器を前記管状部材の基端部に取り外し可能に取り付けるための手段と、を備え、前記管状部材の末端部が、全体に柔らかい弾性のある材料で形成されていることを特徴とする機器。
【請求項２】
前記材料がシリコンである、請求項１記載の機器。
【請求項３】
更に、予め決められた最大の圧力で前記バルーンを膨張するための手段を備えている、請求項１記載の機器。
【請求項４】
前記バルーンが、全体に柔らかい弾性のある材料で形成されている、請求項１記載の機器。
【請求項５】
前記バルーンが、完全に膨張した形状で形成されている、請求項１記載の機器。
【請求項６】
前記バルーンが、シリコンで形成されている、請求項１記載の機器。
【請求項７】
前記管状部材が壁を備え、前記膨張管の少なくとも一部が前記壁に結合されている、請求項１記載の機器。
【請求項８】
前記管状部材が、内面を有する壁を備え、前記膨張管の少なくとも一部が前記壁内面と一体である、請求項１記載の機器。
【請求項９】
前記管状部材が、前記膨張管が通じて延びる開口を有する壁を有している、請求項１記載の機器。
【請求項１０】
更に、前記管状部材の末端部の近くに端部を有する、外部から使用しうる洗浄管を備えている、請求項１記載の機器。
【請求項１１】
前記管状部材が壁を備え、前記洗浄管の少なくとも一部が前記壁に結合されている、請求項１０記載の機器。
【請求項１２】
前記管状部材が、内面を有する壁を備え、前記洗浄管の少なくとも一部が前記壁内面と一体である、請求項１０に記載の機器。
【請求項１３】
前記管状部材が、前記洗浄管が通じて延びる開口をもつ壁を有している、請求項１０に記載の機器。
【請求項１４】
前記膨張管が、ほとんど前記管状部材の長さ全体に延びている、請求項１記載の機器。
【請求項１５】
前記洗浄管が、ほとんど前記管状部材の長さ全体に延びている、請求項１０記載の機器。
【請求項１６】
前記管状部材が壁を有し、前記膨張管が、ほとんど前記管状部材の長さ全体に沿って壁に結合されている、請求項１記載の機器。
【請求項１７】
前記管状部材が、内面をもつ壁を有し、前記膨張管が、ほとんど前記管状部材の全長に沿って壁内面に結合されている、請求項１記載の機器。
【請求項１８】
更に、前記膨張管に膨張流体を供給するための手段を備えている、請求項１記載の機器。
【請求項１９】
前記膨張供給手段が注射器を備えている、請求項１８記載の機器。
【請求項２０】
前記注射器が、プランジャと、スプリング又はスプリング機構と、を備えている、請求項１９記載の機器。
【請求項２１】
前記膨張管が、前記管状部材内に位置づけられた部分と、前記管状部材外の部分とを有している、請求項１記載の機器。
【請求項２２】
前記洗浄管が、前記管状部材内に位置づけられた部分と、前記管状部材外の部分とを有している、請求項１０記載の機器。
【請求項２３】
前記膨張させる手段が、圧力計を備えている、請求項３記載の機器。
【請求項２４】
更に、前記洗浄管に洗浄流体を供給するための手段を備えている、請求項１０記載の機器。
【請求項２５】
前記容器取り付け手段が、開口を有するプレートと、前記プレートの開口と一直線上に前記プレートに前記管状部材の前記基端部を結合するための手段と、を備えている、請求項１記載の機器。
【請求項２６】
前記結合手段が、前記プレートに相対する前記管状部材の基端部の回転を許容する手段を備えている、請求項２５に記載の機器。
【請求項２７】
前記回転許容手段が、前記管状部材の基端部を受け入れるように適合する第１の部分と、前記プレートに設けられた第２の部分とを備え、前記第１の部分が第２の部分に回転可能に取り付けられている、請求項２６記載の機器。
【請求項２８】
前記プレートが、更に、前記膨張管を保持するための手段を備えている、請求項２５記載の機器。
【請求項２９】
前記容器取り付け手段が、開口を有するプレートと、前記プレートの開口と一直線上に前記プレートに前記管状部材の前記基端部を結合するための手段と、を備えている、請求項１０記載の機器。
【請求項３０】
前記プレートが、更に、前記洗浄管を保持するための手段を備えている、請求項２９記載の機器。
【請求項３１】
更に、前記プレートを静止部材に結合するための手段を備えている、請求項２５記載の機器。
【請求項３２】
前記容器取り付け手段が、第１，第２の相互係合連結部分を備えている、請求項２５記載の機器。
【請求項３３】
前記第１連結部分が、前記プレート開口の周囲で前記プレートに固定されている。請求項３２記載の機器。
【請求項３４】
前記容器が、開口を有する壁を備え、前記第２の連結部分が、前記壁の開口の周囲で容器の壁に固定されている、請求項３２記載の機器。
【請求項３５】
前記容器が、開口を有する壁を備え、前記第２の連結部分が、前記壁の開口の周囲で前記容器の壁に固定されている、請求項３３記載の機器。
【請求項３６】
体腔へ挿入されるように適応した前記管状部材の末端部が、更に、前記機器から分離された挿入器具を備えている、請求項１記載の機器。
【請求項３７】
前記挿入器具が、末端部及び基端部を有する実質的に堅くて長い芯と、末端部と基端部とを有するスリーブと、を備え、前記芯の前記末端部を超えて延びる前記スリーブの前記末端部の部分をもたせた状態で、前記芯が前記スリーブ内にいくらかの距離で受け入れられ、前記スリーブの部分が、前記機器に係合するように裏返すことができる、請求項３６記載の機器。
【請求項３８】
前記スリーブが前記芯に結合されている、請求項３７記載の機器。
【請求項３９】
前記スリーブの前記部分が、実質的にふくらんだ形状である、請求項３７記載の機器。
【請求項４０】
前記スリーブの前記部分が、柔らかい弾性のある材料で形成されている、請求項３７記載の機器。
【請求項４１】
更に、摩擦を減少させるコーティングを備えている、請求項１記載の機器。
【請求項４２】
更に、ガスと悪臭を阻む材料のコーティングを備えている、請求項１記載の機器。
【請求項４３】
前記コーティングが数ミクロンの厚さである、請求項４１記載の機器。
【請求項４４】
前記コーティングが数ミクロンの厚さである、請求項４２記載の機器。
【請求項４５】
体腔へ医療機器の柔らかい端部を挿入するための器具において、末端部と基端部とを有する実質的に堅くて長い芯と、末端部と基端部とを有するスリーブと、を備え、前記芯の前記末端部を超えて延びる前記スリーブの前記末端部の部分をもたせた状態で、前記芯が、前記スリーブ内に受け入れられ、前記スリーブの部分が、前記機器の柔らかい端部に係合するように裏返し可能であることを特徴とする器具。
【請求項４６】
前記スリーブが前記コアに結合されている、請求項４５記載の器具。
【請求項４７】
前記スリーブの前記部分が、実質的にふくらんだ形状である、請求項４５記載の器具。
【請求項４８】
前記スリーブの前記部分が、柔らかい弾性のある材料で形成されている、請求項４５記載の器具。
【請求項４９】
硬質の芯と芯を超えて延びるスリーブの部分とを有する挿入器具を利用して、体腔内に医療機器の末端部を挿入するための方法において、
前記スリーブの部分に非常に近い器具の近くに、医療機器の末端部を配置する行程と、医療機器の末端部を係合のために覆うようにスリーブ部分を裏返す行程と、裏返されたスリーブ部分と係合された医療機器の端部とともに、器具の端部を体腔へ挿入する行程と、器具から機器を分離し器具を引き出す行程と、を備えていることを特徴とする方法。
【請求項５０】
更に、スリーブ部分を裏返す前に、医療機器の末端部を器具に巻き付ける行程を備えている、請求項４９記載の方法。
【請求項５１】
医療機器の末端部がバルーンを含み、更に、スリーブの部分を裏返す前に、バルーンを器具に巻き付ける行程を備えている、請求項４９記載の方法。
【請求項５２】
挿入器具が、前記スリーブの部分を一部分として構成しているスリーブを備え、更に、前記スリーブへ硬質の芯を挿入し、前記スリーブに前記芯を付着する行程を備えている、請求項４９記載の方法。
【請求項５３】
医療機器が、末端部に膨張性のバルーンを含み、
更に、裏返されたスリーブの部分と係合された医療機器の端部とともに、器具の端部が体腔内に挿入されたあと、スリーブの部分を裏返していない配置に戻すようにバルーンを膨張し、器具から機器を分離する行程を備えている、請求項４９記載の方法。
【請求項５４】
更に、摩擦を低減する材料で機器の表面をコーティングする行程を備えている、請求項４９記載の方法。
【請求項５５】
更に、ガスと悪臭を阻む材料で機器の表面をコーティングする行程を備えている、請求項４９記載の方法。
【請求項５６】
コーティングする行程が、真空蒸着行程を備えている、請求項５４記載の方法。
【請求項５７】
コーティングする行程が、真空蒸着行程を備えている、請求項５５記載の方法。
【発明の詳細な説明】
【発明の詳細な説明】
【０００１】
〔発明の背景〕
（１．発明の分野）
本発明は、糞便又は排泄物の処理機器、及び、体腔へ前記機器を挿入するための方法及び器具に関し、特に、全体が軟い弾性のある材料で形成された末端部を収めるバルーンを有する管状部材を含み、一体となった膨張及び洗浄管を含み、基端部に回転可能に接続された取り外し可能な収集容器を有している、糞便処理機器に関し、そして、機器の末端部を体腔へ挿入するための方法及び分離器具に関する。
【０００２】
直腸又は瘻孔に非常に近い場所にある、開放創、やけど、手術の切り傷の縫合部等の皮膚の、糞便による汚染は、患者の回復にとって非常に有害である。さらに、極度の注意を要求する過酷な医療問題をもつ多くのこのような状況で、看護の間に偶然そのような排泄物に接触する医療専門家が、故意でなく感染症の病気を広めるかもしれない。
【０００３】
加えて、患者や、患者に看護を提供する医療従事者の汚染を効果的に防止する、腸の内容物の処理と収集のためのシステムをもつことに高い要望がある。
【０００４】
（２．従来技術の説明）
腸の処理を提供するように設計されたそのようなシステムの一つが、３２０３４フロリダ州フェルナンディーナビーチのザッシメディカルエボリューション社によって市場に出されている。ザッシのシステムは、長くて柔軟なカテーテルからなり、その基端部は、排泄物の収集容器に取り外し可能に接続されている。カテーテルの末端部は、患者の腸へ直腸又は瘻孔を通して挿入されるように設計されている。
【０００５】
ザッシのカテーテルの末端部は、腸へのカテーテルの挿入と位置づけを許容する硬質の部分を含む。カテーテルは、２つの膨張性のバルーンをもち、一方のバルーンはカテーテル管内に位置している。他方はバルーンの内側部分でカテーテルを取り囲んでいる。バルーンは、カテーテルの末端部を閉鎖し、直腸又は瘻孔をカテーテルで密封するために、それぞれ独立して膨張可能である。独立した膨張管が、それぞれのバルーンに提供される。第３の管が、腸へ洗浄流体を届ける。
【０００６】
このタイプの２重バルーンシステムは公知であり、キムによる１９９６年１０月２９日発行米国特許第５５６９２１６号「端部にバルーンを有する多目的結腸切開器具」、２００２年４月４日発行国際公開番号ＷＯ０２／２６２９３号「改良された結腸切開器具」に開示されている。
【０００７】
キムにより開示され、ザッシの腸の処理システムに利用される２重バルーンシステムの複雑さやコストに加えて、ザッシの器具は欠点を有する。その欠点は、膨張中及び膨張後に、バルーンによって周囲組織に及ぼされる圧力に関する。
【０００８】
カテーテルの末端部に外部に配置されたバルーンは、長年の間患者の直腸の適所にカテーテルを保持するために用いられてきた。そのようなカテーテルシステムは、頻繁に浣腸の使用のために用いられているが、直腸から収集システムまでの糞便物質の収集や誘導のためにも用いられている。このようなカテーテルは、ときおり、フォーリーカテーテルとして知られ、一般に尿のカテーテル法に用いる器具の大きな型である。
【０００９】
医学界の多くの専門家は、直腸内の膨張器具の使用を是認しない。長期の間、組織の損傷が、膨張したバルーンによって周囲組織に及ぼされた超過圧力に起因すると信じているためである。バルーンからの圧力が、組織が十分な血液に富むことを阻むときに、そのような組織の壊死が生じると信じられている。
【００１０】
実際のところ、フォーリータイプのカテーテルが直腸に挿入されたあと、バルーンは、組織に及ぼす圧力に注意しないで、最大サイズまで膨張される。こうして、選択されたバルーンのサイズは臨界に達する。一方、介護者は患者の体内構造について知識がないので、バルーンサイズの選択は推測に過ぎない。
【００１１】
ザッシの腸の処理システムにおけるバルーンシステムは、キムによって開示されているように、この問題で不利を招く。バルーンによって組織に供給された圧力を制限する手段は現れていないため、バルーンシステムは、組織が十分に血液に富まないという結果をもたらす圧力で膨張されることがある。
【００１２】
さらに、都合よく直腸又は瘻孔にカテーテルの端部を挿入するために、その端部は、十分な堅さを持たなければならない。もしカテーテルの端部が十分に堅くなければ、カテーテルの端部を挿入し、正しく位置づけることが相当困難になることがある。
【００１３】
腸への挿入を許容するに十分な堅さをもって腸に挿入されるように設計された器具を構築することは可能であるが、ひとたび器具が適切に位置決めされると、たいてい、そのような堅さを持つことは有害である。多くの製品が挿入のために硬質の管のシステムを使用している。そのようなシステムの１つが、シャフィールドによる１９８５年５月１４日発行米国特許第４５１６４７８号「直腸機器及びその挿入方法」に開示されている。これら器具において、挿入される器具の部分は、１の管内に押しつけられている。この管は、腸内の望ましい位置に挿入される。その器具は、そのとき、第２の部材（たいていより小さな入れ子の管である）によって第１の管の端部の外へ押し出される。
【００１４】
このシステムは、挿入されたときに圧縮された形状に器具を保持するため堅い外管を必要とする。外管は、引き延ばすこと無しに押し出されるような堅さでなければならない。結局、堅い外管は、圧縮された形態で器具を保持するのに十分強くなければならないが、なおかつ、挿入システムの直径を最小にするのに十分に薄くなければならない。
【００１５】
挿入システムのこのタイプに起因するいくつかの欠点がある。第１に、堅い外管は、柔らかい組織に外傷性の衝撃を与えることがある。これは、特に、外管の壁の厚さが部品の直径を最小化するまで減少するからである。薄いチューブの壁は、管の端部の又は管の開口部に沿う鋭いエッジを避けることを困難にする。部品の側部から機器の除去を許容するため、外管がその長さの片側に沿って割られることを必要とする場合、これは、特に有害である。鋭いエッジが、管の長さに沿っていることは明白であり、組織損傷の可能性を招く。
【００１６】
さらに、堅い外管における堅さの要件は、十分な強さを確実にする望ましい壁の厚さよりも重要であることに帰着する。結局、堅い外管は、単にそれが堅いという理由で、組織を過度に傷つけるという結果を招く。
【００１７】
〔発明の要約〕
本発明は、組織を傷つける原因にならない全体に柔らかい弾性のある材料で末端部が形成された、糞便処理のための医療機器である。その機器は、１つの低圧力のバルーンを利用する。バルーンは、周囲組織への圧力の超過を防止するように、従って、周囲組織から血液がなくなるのを防止するように制御することができる。
【００１８】
本発明は、挿入に必要な機器の末端部の堅い部分を、腸に機器を挿入した後に引き出されるように設計された分離した器具に移し、組織を傷つけないように、完全に挿入された機器の末端部が柔らかく弾性であることを許容する。挿入器具は、柔らかい弾性のあるスリーブによって取り囲まれた堅い芯部材を含む。２つで１つのユニットとして機能するように、柔らかいスリーブは堅い芯部材に結合される。スリーブの部分は、堅い芯部材の端部を超えて延びる。この部分は、概してふくらんだ形状を呈する。スリーブの残部は、芯部材の表面に結合される。
【００１９】
体腔内に挿入される機器の柔らかい端部は、芯部材の端部に隣接して、挿入器具に巻き付けられる。芯部材を超えて延びるふくらんだスリーブの部分は、器具に巻き付けられた機器の端部を覆うように裏返される。裏返されたスリーブの部分は、機器の端部を圧縮する作用をなし、圧縮された機器の端部を収容する。これは、結果として、挿入を容易にする挿入器具の先端に、滑らかな丸い圧縮された固まりを生じる。
【００２０】
圧縮された機器の端部は、堅い挿入器具の末端部を押すことによって、肛門括約筋又は瘻孔を通して体腔に挿入される。堅い芯部材の基端部は、機器が望み通りに位置づけられるまで操作される。裏返されたスリーブの部分の収縮と、挿入器具の末端部を強く押す力とが、器具にまかれた機器の柔らかい端部を著しく圧縮する。
【００２１】
一旦適所に位置づけられると、機器と挿入器具は、分離される。機器の露出した部分は、挿入器具が末端方向に押されている間、堅固に保持される。これは、器具から機器を分離するように、裏返されたスリーブの部分を機器の端部から離すように押す。或いは、機器がバルーンの構成を有している場合、バルーンの膨張が機器と挿入器具とを分離することを可能にする。一旦機器と挿入器具とが分離されると、挿入器具は、体腔から引き出され、適所で機器の末端部が残される。
【００２２】
高い圧力で膨張されたバルーンにより引き起こされる潜在的な損傷に関しては、本発明は、圧迫壊死のため組織の損傷を徹底的に減少させる能力をもって、直腸におけるバルーンカテーテルの使用を許容する。挿入後、本発明の機器のバルーンは、十分に多くの組織を許容するほどに低いことが知られている圧力だけで、膨張することができる。力平衡のため、バルーンは、十分に多くの組織をいつも許容するように、組織に対してこのわずかな圧力しか供給しない。さらに、バルーンは、完全に膨張された形状に作り上げられる。結果として、バルーンは、潜在的に組織に有害な圧力よりも低い圧力でフルサイズに膨張することができる。
【００２３】
摩擦を減少すること、及び、機器の表面の一部に沿ってガスと悪臭の防壁を提供することが望ましい。これは、必要とされる表面領域において機器の壁に適した材料の薄いコーティングを供給することによって果たすことができる。
【００２４】
本発明の１つの側面に従い、糞便処理機器が提供される。機器は、末端部及び基端部を有する長い管状部材を含む。膨張性のバルーンが管状部材の末端部を取り囲む。外部から使用しうる膨張管が、バルーンに操作可能に接続されている。糞便収集容器が提供される。管状部材の基端部に取り外し可能に容器を取り付ける手段が提供される。管状部材の末端部が、全体が柔らかく弾性の材料で形成されている。
【００２５】
好ましくは、管状部材の末端部は、シリコンで形成される。バルーンも、全体が柔らかく、弾性のある材料で形成される。この材料は同様にシリコンとすることができる。
【００２６】
好ましくは、バルーンは、完全に膨張したときに実質的に環状形である。予め決められた最大圧力でバルーンを膨張するための手段が提供される。これらの手段は、膨張管で膨張流体を供給するための手段を含む。膨張流体供給手段は、プランジャとスプリングを有する注射器を含む。圧力計及びバルブが圧力超過を防止するために含まれていてもよい。
【００２７】
バルーンは、完全に膨張された大きさと形状で形成される。それは、組織にとって潜在的に有害な圧力よりも小さな圧力でバルーンを最終形状に膨張することを許容する材料で形成されている。
【００２８】
管状部材は壁を含む。膨張管の少なくとも一部が前記壁に結合されている。壁は内面を有する。膨張管の少なくとも一部が壁内面と一体である。壁は、膨張管が通じて延びる開口を有する。
【００２９】
外部から使用しうる洗浄管も提供することができる。洗浄管は、管状部材の末端部の端に近い端部を有する。洗浄管の少なくとも一部は、管状部材の壁と一体である。好ましくは、洗浄管の少なくとも一部は、内部の壁面に結合されている。壁は、洗浄管が通じて延びる開口を有している。
【００３０】
好ましくは、膨張管は管状部材の長さの大部分に延びる。洗浄管も、好ましくは、管状部材の長さの大部分に延びる。
【００３１】
好ましくは、膨張管は、前記壁の長さの大部分に沿って壁に結合される。洗浄管も、好ましくは、管状部材の長さ全体の大部分に沿って、内部の壁面に結合される。
【００３２】
膨張管は、管状部材内に位置づけられた部分と、管状部材外の部分とを有する。洗浄管も管状部材内に位置づけられた部分と、管状部材外の部分とを有する。
【００３３】
機器は、更に、洗浄管に洗浄流体を供給するための手段を備えている。洗浄流体供給手段は、注射器を含む。
【００３４】
容器取り付け手段は、開口を有するプレートを含む。プレートの開口と一直線上に、管状部材の基端部をプレートに結合するための手段が提供される。これらの結合手段は、プレートに相対して管状部材の基端部の回転を許容する手段を含む。回転許容手段は、管状部材の基端部を受け入れるように適合された第１の部分と、プレートに設けられた第２の部分とを含む。第１の部分は、第２の部分に回転可能に取り付けられる。
【００３５】
プレートは、外部の膨張管部分を支持する手段を含む。プレートはさらに、外部の洗浄管部分を指示する手段を含むことができる。
【００３６】
機器は、ベッドレール又は同様の静止部材に使用するように設計される。それは、プレートを静止部材に結合するための手段を含む。
【００３７】
収集容器をプレートに取り外し可能に取り付けるための手段は、第１及び第２の相互係合連結部分を含む。第１の部分は、プレート開口部を取り囲んでプレートに固定される。容器は、開口をもつ壁を有する。第２の部分は、壁の開口を取り囲んで、容器の壁に固定される。
【００３８】
体腔へ挿入されるように適応した機器の端部が、全体に柔らかい、弾性のある材料で作られているので、機器から分離された機器を挿入するための器具が提供される。挿入器具は、末端部及び基端部を有する実質的に堅くて長い芯と、末端部及び基端部を有するスリーブと、を含む。芯は、芯の末端部を超えて延びるスリーブの部分がある状態で、スリーブ内に受け入れられる。
【００３９】
延長されたスリーブの部分は、機器の管状部材の末端部に係合するように裏返し可能である。芯の末端部を超えて延びるスリーブの末端部の部分は、概してふくらんだ形状である。好ましくは、裏返し可能なスリーブの部分は、柔らかい弾性のある材料で形成されている。
【００４０】
好ましくは、スリーブの基端部は、芯に結合されている。これは、機器と器具とを１ユニットとして機能させることを可能にする。
【００４１】
好ましくは、摩擦を低減し、ガスや悪臭を阻むコーティングを管状部材の表面上に形成する手段が提供される。好ましくは、被膜は、数ミクロンの厚さであり、管状部材の内外面に真空蒸着されたパリレンから構成することができる。
【００４２】
本発明の他の側面に従い、医療機器を体腔へ挿入するための器具が提供される。器具は、末端部と基端部とを有する実質的に堅くて長い芯と、末端部と基端部とを有するスリーブと、を含む。芯はスリーブ内に受け入れられる。スリーブの末端部の部分は、芯の末端部を超えて延びる。この部分は、医療機器に係合するために裏返し可能である。
【００４３】
芯の末端部を超えて延びるスリーブの末端部の部分は、概してふくらんだ形状である。スリーブの末端部の部分は、柔らかい弾性のある材料で形成されている。
【００４４】
好ましくは、スリーブの基端部は、シャフトに結合される。
【００４５】
本発明の別の側面に従い、挿入器具を利用して、体腔へ医療機器の柔らかい端部を挿入するための方法が提供される。器具は、芯を超えて延びるスリーブの部分をもたせた状態で、スリーブ内に受け入れられる、実質的に堅く長い芯を有する。前記方法は、スリーブの前記部分に近い器具の近くに、医療機器の末端部を配置する行程を含む。スリーブの部分は、医療機器に係合するために、医療機器の末端部を覆うように裏返される。芯の末端部は、機器に係合している裏返されたスリーブの部分とともに、体腔へ挿入される。器具は、機器から分離され、適所に機器を残した状態で、体腔から引き出される。
【００４６】
前記方法は、スリーブの部分を裏返す前に、医療機器の末端部を器具に巻き付ける行程を含む。
【００４７】
医療機器は、末端部に膨張性のバルーン含むことができる。この場合、その方法は、更に、器具の末端部が、医療機器に係合している裏返されたスリーブの部分とともに、体腔内へ挿入されたあとに、バルーンを膨張させる行程を含む。これは、医療機器を解放するように、裏返されたスリーブ部分を裏返されていない位置に戻すという結果をもたらす。
【００４８】
前記方法は、更に、摩擦を低減するガス及び悪臭の防壁の層で、機器の表面をコーティングする行程を備える。その層は、数ミクロンの厚さであり、パリレンで形成されている。それは、機器の表面に真空蒸着される。
【００４９】
これらのそして他の目的は、以下において明らかになるであろう。本発明は、同種の符号が同種の部分を示している添付の図面とともに、次の明細書と添付の特許請求の範囲とに詳しく記載された糞便処理機器と、体腔へ機器の端部を挿入するための方法及び器具に関する。
【００５０】
〔発明の詳細な説明〕
図１に示すように、本発明の医療機器は、概してＡで示された長く曲がりやすい管状部材を含み、管状部材は、体腔内に挿入されるように設計された末端部１０と基端部１２とを有している。部材Ａは、好ましくはおよそ１ｍの長さで、直径２３ｍｍである。それは、肛門括約筋を通した通過を容易にするために直径８ｍｍまでつぶれる。
【００５１】
概してＢで示された糞便容器は、概してＣで示されたアダプタープレートを通して部材Ａの基端部１２に回転可能に接続されている。部材Ａの末端部１０の外表面に付着されたものは、図１でしぼんだ状態で示された、低圧で膨張するバルーン１４である。
【００５２】
バルーン１４は、例えば、空気、水又は生理食塩水のような流体により、５２ｍｍＨｇ（１．０ポンド／平方インチ）以下の圧力で、膨張管１６を通して約直径５８ｍｍまで膨張する。管１６は、ルアータイプのバルブ接続具１７によって、例えば注射器のような膨張流体源に接続されている。注射器は、バルーンをしぼませるため、膨張流体を引き込むのにも用いられる。
【００５３】
好ましくは、第２の洗浄管２０も提供される。管２０は、部材Ａの末端部１０の端まで延び、ルアータイプのバルブ接続具２１によって、注射器２２のような洗浄流体源に接続されている。管１６，２０は好ましくは直径１ｍｍ〜１．５ｍｍである。
【００５４】
部材Ａの末端部１０とバルーン１４は、体の組織を傷つけないように、共に全体に柔らかい弾性のある材料で作られている。材料は、例えば、シリコンとすることができる。
【００５５】
概してＤで示された、分離した挿入器具は、直腸内への部材Ａの末端部１０の挿入と配置とを容易にするために提供される。以下に説明するように、器具Ｄは堅い。それは、部材Ａの末端部１０に係合し、腸への挿入と位置づけを容易にするように設計されている。器具Ｄは、体内に部材Ａの柔らかく弾性のある末端部１０だけが残るように、医療機器から分離され、体腔から取り出される。
【００５６】
最も良く示された図２のように、バルーン１４は、機器Ａの末端部１０を取り囲む。好ましくは、バルーンは、完全に膨張したときに環状形になる。バルーンの壁は、好ましくは、完全に膨張したかたちで製造される。それは、組織にとって潜在的に有害な圧力よりも低い圧力でバルーンが最終形状にまで膨張するのを許容するような材料で形成される。以下に詳述するように、バルーン１４内の流体の圧力は、バルーンが周囲の組織に対して予め決定されたレベルを超えた圧力を供給できないように、注意深く調節される。
【００５７】
図３に示すように、膨張管１６及び洗浄管２０は、好ましくは部材Ａの壁の内面と一体な部分として形成される。管１６，２０のいずれも、部材Ａ内に延びる部分と、各流体源１８，２２への結合のために、部材Ａの壁の各開口２４，２６を通して延びる部分とを有する。好ましくは、管１６，２０の内側部分は、部材Ａの全長に沿って延びている。部材Ａの長さに沿ったあらゆる部分に位置する管の外側部分とともに、部材Ａを製造することが可能である。
【００５８】
膨張管１６は、部材Ａの末端部１０の端の近くに閉鎖された端部を有している。しかしながら、膨張流体（たいてい水又は生理食塩水）がバルーンを膨張させるためにバルーン１４に導入され、且つバルーンをしぼませるためにバルーンから取り除かれることを許容するように、通路２８が、管１６をバルーン１４の内部に接続している。
【００５９】
洗浄管２０は、部材Ａの末端部１０の端に最も近い位置まで延び、洗浄流体が腸内に導入されうるように、開放した端部を有している。洗浄流体は、注射器２２のような源から必要に応じて供給される。
【００６０】
バルーンの膨張システムは、２通りの機能を果たす。それは、例えば、予め決められたレベルで注射器のプランジャに負荷をかけるスプリングにより、組織に対して望ましい圧力が維持されるように、内部圧力が増加した場合にバルーンが大きくしぼむことを許容する。あるいはまた、バルーンは、圧力が一旦挿入物に到達された場合に、量を固定させることができる。腸がゆるめられたとき同時にこれがなされた場合、組織への圧力は、腸が収縮したときに増加するであろう。これは、定期的な事象であるので、組織は収縮と収縮の間に十分に血液に富むであろう。
【００６１】
管状部材から距離をおいて、バルーンが膨張され、圧力が調節される。膨張管１６は、バルーンから体の外側に位置する膨張流体源まで延びる。流体源は、手動で操作することができ、又は、電子的又は機械的システムによって調節することができる。
【００６２】
好ましい一実施形態において、バルーンは、注射器１８のような流体容器に操作可能に接続される。注射器は、直径１〜１．２５インチの間のシリコンプランジャシールとバレルとを有する６０ｃｍ３の市販用のボリカーボネート製ルアーロック注射器とすることができる。注射器の容量は、プランジャに供給された力に完全に依存した圧力以下で流体を収容するように、変更することができる。適切な力のスプリング１９を伴う注射器１８のプランジャに負荷を与えるスプリングは、望ましい圧力を内部のバルーンに与えるだろう。バルーンへの流体の通路は、圧力を維持するために開いたままに維持することができ、又は、バルーンの容量を維持するためにバルブ又はクランプ２３によって閉じることができる。シリンダ内の圧力は、こうしてバルーンのサイズ、ひいては組織に適用される圧力を決定する。
【００６３】
正確な圧力の計測のため、バルーンの弾性力が考慮されなければならない。しかしながら、バルーンが望ましい完全に膨張した形状で製造される場合、バルーンを作る材料の弾性の影響は小さい。予め決定されたサイズ次第で、バルーン内の圧力が組織に及ぼす圧力を決定するだろう。
【００６４】
介護者が患者の生体構造にとってあまりに小さいバルーンを使用する状況があるかもしれない。この状況においては、バルーンは、圧力の増加無しで規定量に膨張するであろう。それゆえ、バルーンは、封をするために十分に生体構造を圧縮していない。反対に、規定量の流体の導入によってバルーンの圧力が限界を超過する場合、介護者は、バルーンが患者の生体構造にとって大きすぎることを知ることができる。
【００６５】
あるいはまた、バルーンが膨張したときに圧力が監視されている場合は、介護者はバルーンが大きすぎるか小さすぎるかを知ることができる。上記のように、バルーンが小さすぎる場合、規定量全体が注入されても、バルーンの圧力は規定圧力に到達していない。反対に、バルーンが大きすぎる場合、最大圧力が、流体の規定量の注入に先立って到達されるだろう。バルーン内の容量計測の正確さは、圧縮できない流体を使うことによって、又は、気体が使われている場合は理想気体の法則による圧力増加の補償によって、維持することができる。
【００６６】
機器は、例えば、流体と殆ど一定力のスプリングとの間のプランジャを有する注射器１８のような、弾力のある機械システムによってほとんど一定の圧力下に維持された、予め満たされた流体容器を備えることができる。プランジャを圧縮するスプリングは、望ましい圧力で流体を維持するだろう。一旦機器が患者に挿入されると、シリンダの流体が望ましい圧力でバルーンを満たし膨張させることを許容するように、バルブ又はクランプ２３が開かれるだろう。バルブ又はクランプ２３は、時間とともに、圧力が維持されるように開けっ放しにすることができ、又は、一定の容量を維持するように閉鎖することができる。
【００６７】
同様の構成要素は、流体をもたないで流体供給ポート２５により流体を供給することができる。介護者は、流体を供給し、そして、流体の量が既知の範囲になるように圧力を供給するであろう。スプリング１９によって後退された注射器のプランジャは、圧力ゲージとして機能するであろう。介護者は、一旦好ましい圧力に達すると、流体の注入をやめるように教わるであろう。注入された流体が規定範囲内にない場合は、バルーンは誤った大きさになり、取り除かれなければならない。
【００６８】
あるいはまた、膨張システムは、介護者が単に目標圧力まで装置を膨張させることを許可するように、管１６に付属した簡単な圧力ゲージ２７を含むことができる。この構成は、一旦挿入物上で圧力が決められると、固定された容量の状態で機能するシステムを要求する。それは、その中に含まれた圧力ゲージを伴う注射器プランジャを製造することを可能にする。プランジャの軸は、注射器のバレル内の流体の圧力を示す一体とされた又は組み立てられたスプリングを含むことができる。スプリングは、プランジャの軸の２つの部分の間に間隙を形成する。圧力が増加したとき、スプリングは、圧縮され、プランジャの２つの部分が共に閉じるように移動する。２つの部分のスケールは、互いの相対的な位置によって圧力を示すことができる。
【００６９】
図１，４及び５を参照すると、部材Ａの基端部１２が第１及び第２部分３０によってアダプタープレートＣに回転可能に接続されている。部分３０は、概して管状形で、部材Ａの内径と実質的に大体同じかわずかに大きい外径を有している。部材Ａの基端部１２は、部分３０の一端部上に受け入れられ固定される。
【００７０】
部分３０の他端部は、回転可能に部分６０に受け入れられ、部分６０は、概して管状の中央部分を有している。しかしながら、部分３０は、部分６０に嵌め込まれたときに、部分３０と部分６０との間の回転を禁止する摩擦が生じないようなサイズに形成されている。
【００７１】
プレートＣを通じる円形の開口があり、開口を通って部分３０の端部３８が延びている。部分３０は、プレートＣに取り付けられたときに部材Ａからポーチまでの排泄物の通路を作り出す。
【００７２】
部分３０の外面は、外方へ延び、間隔があけられた一対の円周表面の突出部４０，４２を有し、突出部は、円周の凹部又は溝４４を定義する。プレートＣの内面は、内方へ延びる環状の突出部４６を有し、突出部は、部分３０及び部材Ａの基端部１２がプレートＣに相対して手動で回転することを許容するように、溝４４内に受け入れられるように適用される。
【００７３】
プレートＣは、好ましくはプラスチックで形成され、概して、開口３４が広がる円形部分５０を下部にもった本体を有している。部分３２は、部分５０の一側に固定され、端部１２を覆うように機能する。プレートＣの部分５０の他側は、環状の突出部か又は表面に溶接されたリングの形態の、第１の相互係合部分５２を備えている。部分５２は、プレートＣにおいて開口３４を取り囲む。容器Ｂは好ましくは一般的なオストミーポーチ５５の形態をとることができる。
【００７４】
ポーチ５５は、ポーチの壁に溶接された環状通路の形態である第２相互係合部分５４によって定義された入口開口を含む。部分５２は、部分５４にスナップ方式で取り外し可能に受け入れられている。
【００７５】
相互係合部分５２，５４の輪郭は、部分が係合され、ポーチがプレートに結合されたときに、流体の密シールが形成されるように、形作られている。このシールは、満たされたポーチの重みが偶発的にポーチの結合の原因となるのを妨げるほどに強い。
【００７６】
このタイプの相互係合部分は、技術的に周知であり、一般に２要素のオストミー機器に用いられている。本発明にとって好ましい特有の連結構造は、ニュージャージー州ローレンスビル、ブリストル−マイヤーズ  スクイブ  カンパニー所有のキルゴーによる１９９７年１２月２日発行米国特許第５６９３０３６号「連結部材を有する円形体及び閉鎖部材のアンダーカット構造の射出成形方法」に開示されている。
【００７７】
ポーチ５５は、好ましくは１〜１．５リットルの容積を有している。それは、互いに溶着されたプラスチックフィルムの多層構造である。それは、オストミーポーチに共通する、悪臭防止のための活性炭フィルター５６を備えることができる。フィルター５６は、ポーチ内で圧力が増加しないように、腸内ガスをポーチ内部から逃がすことを許容する。好ましくは、ポーチＢの外壁は透明であり、計測用のマーキングが形成される。ポーチは逆止弁として作用するためのフィルムの層を含むこともできる。
【００７８】
プレートＣの本体部の頂部６０は実質的に矩形状であり、膨張管１６及び洗浄管２０を装着のために受け入れて適合させる開口６３，６５をそれぞれ有する第１，第２の部分６２，６４を含む。この方式において、管１６，２０の外側部分は、プレートＣによって保持可能であり、介護者又は患者のじゃまをすることがない。
【００７９】
プレートＣは、ベッドレール７０のような静止物につるすように設計されている。この目的のためにクリップ７２が設けられている。クリップ７２は、プレートＣの部分６０から上方へ延び、常套手段によりベッドレール７０に支持されることが可能である。
【００８０】
摩擦を少なくしガスと悪臭の防壁を提供するため、パリレン７４の薄いコーティングが、部分３０を受け入れる部材Ａの端部１２の内面部分を除く部材Ａの内外面に、真空蒸着されている。パリレンのコーティングは、好ましくは数ミクロンの厚さである。バルーン１４の表面は、パリレンでコーティングされていない。そのようなコーティングは、バルーンが偶発的に体から滑り出る原因になるかもしれないからである。
【００８１】
図１において、部材Ａから分離して現れるように器具Ｄが表現されており、図６において、部材Ａに係合して現れるように器具Ｄが表現されている。図７（ａ）〜図７（ｅ）には、挿入器具Ｄが、どのように部材Ａの末端部１０に係合するように用いられるか、そして、どのように肛門又は瘻孔を通して挿入されるか、の順序が表現されている。
【００８２】
器具Ｄは２つの部分から構成される。第１の部分は、末端部８２を有した曲がらないロッド又は軸の形態の、硬質プラスチックの長い芯部材８０である。ハンドル部分８４は、芯部材の基端部に設けられている。器具の第２部分は、成型により形成することができる、柔らかく弾性のあるシリコンスリーブ８６である。芯部材８０は、スリーブ８６内に受け入れられる。スリーブ８６は、接着又は他の適当な手段によって芯部材８０に固定される。この方法において、芯８０とスリーブ８６は、１つのユニットを形成するように共に結合される。
【００８３】
スリーブ８６の部分９０は、芯８０の末端部８２を超えて延びている。部分９０は概してふくらんだ形状であり、好ましくは約１５ｍｍの長さを有している。しかしながら、部分９０は、スリーブの直径の半分から数倍の間の範囲の長さにすることができる。図１及び図７（ａ）〜図７（ｃ）において、スリーブ８６の部分９０は、初期の裏返されていない状態で示されている。図６及び図７（ｄ）に示すように、部分９０は、部材Ａに係合し、バルーン１４を圧縮するように、しぼんだ状態のバルーン１４を含む部材Ａの末端部を覆って裏返すことができるように形成されている。
【００８４】
図７（ｂ）及び図７（ｃ）に示すように、部材Ａに係合するに先立ち、器具Ｄは、芯部材８０の端部８２の近くに末端部１０の端が位置づけられるように、部材Ａの末端部の近くに配置される。しぼんだ状態のバルーン１４は、器具Ｄの芯部材８０に巻き付けられる。図７（ｄ）に示すように、スリーブの部分９０は、バルーンが完全に圧縮されるように、部材Ａの端部を覆うように裏返される。しぼんだバルーンを含む部材Ａの末端部１０は、こうして器具Ｄにより係合される。この状態において、注目すべきは、裏返されたスリーブの部分９０が、腸の中への部材Ａと器具Ｄの挿入を容易にするため、柔らかく丸くなった器具Ｄの先端を形成することである。
【００８５】
腸内で正確に位置づけられると、部材Ａの末端部１０は器具Ｄから分離される。これは、器具Ｄを部材Ａから解放するために器具Ｄが末端へ動かされるとき、部材Ａを適所で保持することによって果たされる。器具Ｄは、そのとき腸から引き出されてもよい。しかしながら、解放は、バルーンの膨張によっても果たすことができる。図７（ｅ）に示すように、バルーン１４の膨張は、部材Ａから器具Ｄを分離するように、自動的にスリーブの部分９０を裏返していない状態に戻す。挿入器具Ｄは取り出した後廃棄される。
【００８６】
本発明は、全体に柔らかく弾性のある材料から作られ、体腔に挿入されるように設計された端部を有する医療機器に関することが、理解されよう。バルーンは、周囲組織の圧迫壊死を防止するように、予め決められた低い圧力レベルで膨張する。
【００８７】
本発明は、体腔へ医療機器を挿入するための方法及び器具にも関する。挿入器具は、裏返し可能な部分を形成する柔らかい弾性のあるスリーブによって取り囲まれた硬質の芯部材を含む。機器の末端部は、器具の近くに位置づけられる、バルーンは、器具に巻き付けられ、そして、スリーブの部分が、機器を覆うように裏返され、器具に係合し、バルーンを圧縮し、柔らかい丸まった挿入端を形成する。そのユニットは、そのとき、体腔に挿入される。機器が器具から分離された後、器具は引き出される。
【００８８】
本発明のたった一つの好ましい実施形態が説明のために開示されているが、多くの変形や修正が可能であることは明らかである。特許請求の範囲によって定義されているように、それは、本発明の範囲内に収まるこれらの変形や修正が全てカバーされることを意図している。
【図面の簡単な説明】
【００８９】
【図１】本発明の医療機器及び挿入器具の部分分解平面図である。
【図２】医療機器の末端部の断面図である。
【図３】図２の３−３線断面図である。
【図４】医療機器の基端部の断面図である。
【図５】図４の５−５線矢視図である。
【図６】挿入器具によって係合された医療機器の末端部の断面図である。
【図７（ａ）】挿入方法の各段階を説明する、医療機器及び挿入器具の末端部の順次的な概略図である。
【図７（ｂ）】挿入方法の各段階を説明する、医療機器及び挿入器具の末端部の順次的な概略図である。
【図７（ｃ）】挿入方法の各段階を説明する、医療機器及び挿入器具の末端部の順次的な概略図である。
【図７（ｄ）】挿入方法の各段階を説明する、医療機器及び挿入器具の末端部の順次的な概略図である。
【図７（ｅ）】挿入方法の各段階を説明する、医療機器及び挿入器具の末端部の順次的な概略図である。
【図１】
2011062533.tif 000003
【図２】
2011062533.tif 000004
【図３】
2011062533.tif 000005
【図４】
2011062533.tif 000006
【図５】
2011062533.tif 000007
【図６】
2011062533.tif 000008
【図７（ａ）】
2011062533.tif 000009
【図７（ｂ）】
2011062533.tif 000010
【図７（ｃ）】
2011062533.tif 000011
【図７（ｄ）】
2011062533.tif 000012
【図７（ｅ）】
2011062533.tif 000013
【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
体腔へ医療機器の柔らかい端部を挿入するための器具において、末端部と基端部とを有する実質的に堅くて長い芯と、末端部と基端部とを有するスリーブと、を備え、前記芯の前記末端部を超えて延びる前記スリーブの前記末端部の部分をもたせた状態で、前記芯が、前記スリーブ内に受け入れられ、前記スリーブの部分が、前記機器の柔らかい端部に係合するように裏返し可能であることを特徴とする器具。
【請求項２】
前記スリーブが前記コアに結合されている、請求項１記載の器具。
【請求項３】
前記スリーブの前記部分が、実質的にふくらんだ形状である、請求項１記載の器具。
【請求項４】
前記スリーブの前記部分が、柔らかい弾性のある材料で形成されている、請求項１記載の器具。
【手続補正２】
【補正対象書類名】明細書
【補正対象項目名】全文
【補正方法】変更
【補正の内容】
【発明の詳細な説明】
【発明の詳細な説明】
【０００１】
〔発明の背景〕
（１．発明の分野）
本発明は、糞便又は排泄物の処理機器、及び、体腔へ前記機器を挿入するための方法及び器具に関し、特に、全体が軟い弾性のある材料で形成された末端部を収めるバルーンを有する管状部材を含み、一体となった膨張及び洗浄管を含み、基端部に回転可能に接続された取り外し可能な収集容器を有している、糞便処理機器に関し、そして、機器の末端部を体腔へ挿入するための方法及び分離器具に関する。
【０００２】
直腸又は瘻孔に非常に近い場所にある、開放創、やけど、手術の切り傷の縫合部等の皮膚の、糞便による汚染は、患者の回復にとって非常に有害である。さらに、極度の注意を要求する過酷な医療問題をもつ多くのこのような状況で、看護の間に偶然そのような排泄物に接触する医療専門家が、故意でなく感染症の病気を広めるかもしれない。
【０００３】
加えて、患者や、患者に看護を提供する医療従事者の汚染を効果的に防止する、腸の内容物の処理と収集のためのシステムをもつことに高い要望がある。
【０００４】
（２．従来技術の説明）
腸の処理を提供するように設計されたそのようなシステムの一つが、３２０３４フロリダ州フェルナンディーナビーチのザッシメディカルエボリューション社によって市場に出されている。ザッシのシステムは、長くて柔軟なカテーテルからなり、その基端部は、排泄物の収集容器に取り外し可能に接続されている。カテーテルの末端部は、患者の腸へ直腸又は瘻孔を通して挿入されるように設計されている。
【０００５】
ザッシのカテーテルの末端部は、腸へのカテーテルの挿入と位置づけを許容する硬質の部分を含む。カテーテルは、２つの膨張性のバルーンをもち、一方のバルーンはカテーテル管内に位置している。他方はバルーンの内側部分でカテーテルを取り囲んでいる。バルーンは、カテーテルの末端部を閉鎖し、直腸又は瘻孔をカテーテルで密封するために、それぞれ独立して膨張可能である。独立した膨張管が、それぞれのバルーンに提供される。第３の管が、腸へ洗浄流体を届ける。
【０００６】
このタイプの２重バルーンシステムは公知であり、キムによる１９９６年１０月２９日発行米国特許第５５６９２１６号「端部にバルーンを有する多目的結腸切開器具」、２００２年４月４日発行国際公開番号ＷＯ０２／２６２９３号「改良された結腸切開器具」に開示されている。
【０００７】
キムにより開示され、ザッシの腸の処理システムに利用される２重バルーンシステムの複雑さやコストに加えて、ザッシの器具は欠点を有する。その欠点は、膨張中及び膨張後に、バルーンによって周囲組織に及ぼされる圧力に関する。
【０００８】
カテーテルの末端部に外部に配置されたバルーンは、長年の間患者の直腸の適所にカテーテルを保持するために用いられてきた。そのようなカテーテルシステムは、頻繁に浣腸の使用のために用いられているが、直腸から収集システムまでの糞便物質の収集や誘導のためにも用いられている。このようなカテーテルは、ときおり、フォーリーカテーテルとして知られ、一般に尿のカテーテル法に用いる器具の大きな型である。
【０００９】
医学界の多くの専門家は、直腸内の膨張器具の使用を是認しない。長期の間、組織の損傷が、膨張したバルーンによって周囲組織に及ぼされた超過圧力に起因すると信じているためである。バルーンからの圧力が、組織が十分な血液に富むことを阻むときに、そのような組織の壊死が生じると信じられている。
【００１０】
実際のところ、フォーリータイプのカテーテルが直腸に挿入されたあと、バルーンは、組織に及ぼす圧力に注意しないで、最大サイズまで膨張される。こうして、選択されたバルーンのサイズは臨界に達する。一方、介護者は患者の体内構造について知識がないので、バルーンサイズの選択は推測に過ぎない。
【００１１】
ザッシの腸の処理システムにおけるバルーンシステムは、キムによって開示されているように、この問題で不利を招く。バルーンによって組織に供給された圧力を制限する手段は現れていないため、バルーンシステムは、組織が十分に血液に富まないという結果をもたらす圧力で膨張されることがある。
【００１２】
さらに、都合よく直腸又は瘻孔にカテーテルの端部を挿入するために、その端部は、十分な堅さを持たなければならない。もしカテーテルの端部が十分に堅くなければ、カテーテルの端部を挿入し、正しく位置づけることが相当困難になることがある。
【００１３】
腸への挿入を許容するに十分な堅さをもって腸に挿入されるように設計された器具を構築することは可能であるが、ひとたび器具が適切に位置決めされると、たいてい、そのような堅さを持つことは有害である。多くの製品が挿入のために硬質の管のシステムを使用している。そのようなシステムの１つが、シャフィールドによる１９８５年５月１４日発行米国特許第４５１６４７８号「直腸機器及びその挿入方法」に開示されている。これら器具において、挿入される器具の部分は、１の管内に押しつけられている。この管は、腸内の望ましい位置に挿入される。その器具は、そのとき、第２の部材（たいていより小さな入れ子の管である）によって第１の管の端部の外へ押し出される。
【００１４】
このシステムは、挿入されたときに圧縮された形状に器具を保持するため堅い外管を必要とする。外管は、引き延ばすこと無しに押し出されるような堅さでなければならない。結局、堅い外管は、圧縮された形態で器具を保持するのに十分強くなければならないが、なおかつ、挿入システムの直径を最小にするのに十分に薄くなければならない。
【００１５】
挿入システムのこのタイプに起因するいくつかの欠点がある。第１に、堅い外管は、柔らかい組織に外傷性の衝撃を与えることがある。これは、特に、外管の壁の厚さが部品の直径を最小化するまで減少するからである。薄いチューブの壁は、管の端部の又は管の開口部に沿う鋭いエッジを避けることを困難にする。部品の側部から機器の除去を許容するため、外管がその長さの片側に沿って割られることを必要とする場合、これは、特に有害である。鋭いエッジが、管の長さに沿っていることは明白であり、組織損傷の可能性を招く。
【００１６】
さらに、堅い外管における堅さの要件は、十分な強さを確実にする望ましい壁の厚さよりも重要であることに帰着する。結局、堅い外管は、単にそれが堅いという理由で、組織を過度に傷つけるという結果を招く。
【００１７】
〔発明の要約〕
本発明は、組織を傷つける原因にならない全体に柔らかい弾性のある材料で末端部が形成された、糞便処理のための医療機器である。その機器は、１つの低圧力のバルーンを利用する。バルーンは、周囲組織への圧力の超過を防止するように、従って、周囲組織から血液がなくなるのを防止するように制御することができる。
【００１８】
本発明は、挿入に必要な機器の末端部の堅い部分を、腸に機器を挿入した後に引き出されるように設計された分離した器具に移し、組織を傷つけないように、完全に挿入された機器の末端部が柔らかく弾性であることを許容する。挿入器具は、柔らかい弾性のあるスリーブによって取り囲まれた堅い芯部材を含む。２つで１つのユニットとして機能するように、柔らかいスリーブは堅い芯部材に結合される。スリーブの部分は、堅い芯部材の端部を超えて延びる。この部分は、概してふくらんだ形状を呈する。スリーブの残部は、芯部材の表面に結合される。
【００１９】
体腔内に挿入される機器の柔らかい端部は、芯部材の端部に隣接して、挿入器具に巻き付けられる。芯部材を超えて延びるふくらんだスリーブの部分は、器具に巻き付けられた機器の端部を覆うように裏返される。裏返されたスリーブの部分は、機器の端部を圧縮する作用をなし、圧縮された機器の端部を収容する。これは、結果として、挿入を容易にする挿入器具の先端に、滑らかな丸い圧縮された固まりを生じる。
【００２０】
圧縮された機器の端部は、堅い挿入器具の末端部を押すことによって、肛門括約筋又は瘻孔を通して体腔に挿入される。堅い芯部材の基端部は、機器が望み通りに位置づけられるまで操作される。裏返されたスリーブの部分の収縮と、挿入器具の末端部を強く押す力とが、器具にまかれた機器の柔らかい端部を著しく圧縮する。
【００２１】
一旦適所に位置づけられると、機器と挿入器具は、分離される。機器の露出した部分は、挿入器具が末端方向に押されている間、堅固に保持される。これは、器具から機器を分離するように、裏返されたスリーブの部分を機器の端部から離すように押す。或いは、機器がバルーンの構成を有している場合、バルーンの膨張が機器と挿入器具とを分離することを可能にする。一旦機器と挿入器具とが分離されると、挿入器具は、体腔から引き出され、適所で機器の末端部が残される。
【００２２】
高い圧力で膨張されたバルーンにより引き起こされる潜在的な損傷に関しては、本発明は、圧迫壊死のため組織の損傷を徹底的に減少させる能力をもって、直腸におけるバルーンカテーテルの使用を許容する。挿入後、本発明の機器のバルーンは、十分に多くの組織を許容するほどに低いことが知られている圧力だけで、膨張することができる。力平衡のため、バルーンは、十分に多くの組織をいつも許容するように、組織に対してこのわずかな圧力しか供給しない。さらに、バルーンは、完全に膨張された形状に作り上げられる。結果として、バルーンは、潜在的に組織に有害な圧力よりも低い圧力でフルサイズに膨張することができる。
【００２３】
摩擦を減少すること、及び、機器の表面の一部に沿ってガスと悪臭の防壁を提供することが望ましい。これは、必要とされる表面領域において機器の壁に適した材料の薄いコーティングを供給することによって果たすことができる。
【００２４】
本発明の１つの側面に従い、糞便処理機器が提供される。機器は、末端部及び基端部を有する長い管状部材を含む。膨張性のバルーンが管状部材の末端部を取り囲む。外部から使用しうる膨張管が、バルーンに操作可能に接続されている。糞便収集容器が提供される。管状部材の基端部に取り外し可能に容器を取り付ける手段が提供される。管状部材の末端部が、全体が柔らかく弾性の材料で形成されている。
【００２５】
好ましくは、管状部材の末端部は、シリコンで形成される。バルーンも、全体が柔らかく、弾性のある材料で形成される。この材料は同様にシリコンとすることができる。
【００２６】
好ましくは、バルーンは、完全に膨張したときに実質的に環状形である。予め決められた最大圧力でバルーンを膨張するための手段が提供される。これらの手段は、膨張管で膨張流体を供給するための手段を含む。膨張流体供給手段は、プランジャとスプリングを有する注射器を含む。圧力計及びバルブが圧力超過を防止するために含まれていてもよい。
【００２７】
バルーンは、完全に膨張された大きさと形状で形成される。それは、組織にとって潜在的に有害な圧力よりも小さな圧力でバルーンを最終形状に膨張することを許容する材料で形成されている。
【００２８】
管状部材は壁を含む。膨張管の少なくとも一部が前記壁に結合されている。壁は内面を有する。膨張管の少なくとも一部が壁内面と一体である。壁は、膨張管が通じて延びる開口を有する。
【００２９】
外部から使用しうる洗浄管も提供することができる。洗浄管は、管状部材の末端部の端に近い端部を有する。洗浄管の少なくとも一部は、管状部材の壁と一体である。好ましくは、洗浄管の少なくとも一部は、内部の壁面に結合されている。壁は、洗浄管が通じて延びる開口を有している。
【００３０】
好ましくは、膨張管は管状部材の長さの大部分に延びる。洗浄管も、好ましくは、管状部材の長さの大部分に延びる。
【００３１】
好ましくは、膨張管は、前記壁の長さの大部分に沿って壁に結合される。洗浄管も、好ましくは、管状部材の長さ全体の大部分に沿って、内部の壁面に結合される。
【００３２】
膨張管は、管状部材内に位置づけられた部分と、管状部材外の部分とを有する。洗浄管も管状部材内に位置づけられた部分と、管状部材外の部分とを有する。
【００３３】
機器は、更に、洗浄管に洗浄流体を供給するための手段を備えている。洗浄流体供給手段は、注射器を含む。
【００３４】
容器取り付け手段は、開口を有するプレートを含む。プレートの開口と一直線上に、管状部材の基端部をプレートに結合するための手段が提供される。これらの結合手段は、プレートに相対して管状部材の基端部の回転を許容する手段を含む。回転許容手段は、管状部材の基端部を受け入れるように適合された第１の部分と、プレートに設けられた第２の部分とを含む。第１の部分は、第２の部分に回転可能に取り付けられる。
【００３５】
プレートは、外部の膨張管部分を支持する手段を含む。プレートはさらに、外部の洗浄管部分を指示する手段を含むことができる。
【００３６】
機器は、ベッドレール又は同様の静止部材に使用するように設計される。それは、プレートを静止部材に結合するための手段を含む。
【００３７】
収集容器をプレートに取り外し可能に取り付けるための手段は、第１及び第２の相互係合連結部分を含む。第１の部分は、プレート開口部を取り囲んでプレートに固定される。容器は、開口をもつ壁を有する。第２の部分は、壁の開口を取り囲んで、容器の壁に固定される。
【００３８】
体腔へ挿入されるように適応した機器の端部が、全体に柔らかい、弾性のある材料で作られているので、機器から分離された機器を挿入するための器具が提供される。挿入器具は、末端部及び基端部を有する実質的に堅くて長い芯と、末端部及び基端部を有するスリーブと、を含む。芯は、芯の末端部を超えて延びるスリーブの部分がある状態で、スリーブ内に受け入れられる。
【００３９】
延長されたスリーブの部分は、機器の管状部材の末端部に係合するように裏返し可能である。芯の末端部を超えて延びるスリーブの末端部の部分は、概してふくらんだ形状である。好ましくは、裏返し可能なスリーブの部分は、柔らかい弾性のある材料で形成されている。
【００４０】
好ましくは、スリーブの基端部は、芯に結合されている。これは、機器と器具とを１ユニットとして機能させることを可能にする。
【００４１】
好ましくは、摩擦を低減し、ガスや悪臭を阻むコーティングを管状部材の表面上に形成する手段が提供される。好ましくは、被膜は、数ミクロンの厚さであり、管状部材の内外面に真空蒸着されたパリレンから構成することができる。
【００４２】
本発明の他の側面に従い、医療機器を体腔へ挿入するための器具が提供される。器具は、末端部と基端部とを有する実質的に堅くて長い芯と、末端部と基端部とを有するスリーブと、を含む。芯はスリーブ内に受け入れられる。スリーブの末端部の部分は、芯の末端部を超えて延びる。この部分は、医療機器に係合するために裏返し可能である。
【００４３】
芯の末端部を超えて延びるスリーブの末端部の部分は、概してふくらんだ形状である。スリーブの末端部の部分は、柔らかい弾性のある材料で形成されている。
【００４４】
好ましくは、スリーブの基端部は、シャフトに結合される。
【００４５】
本発明の別の側面に従い、挿入器具を利用して、体腔へ医療機器の柔らかい端部を挿入するための方法が提供される。器具は、芯を超えて延びるスリーブの部分をもたせた状態で、スリーブ内に受け入れられる、実質的に堅く長い芯を有する。前記方法は、スリーブの前記部分に近い器具の近くに、医療機器の末端部を配置する行程を含む。スリーブの部分は、医療機器に係合するために、医療機器の末端部を覆うように裏返される。芯の末端部は、機器に係合している裏返されたスリーブの部分とともに、体腔へ挿入される。器具は、機器から分離され、適所に機器を残した状態で、体腔から引き出される。
【００４６】
前記方法は、スリーブの部分を裏返す前に、医療機器の末端部を器具に巻き付ける行程を含む。
【００４７】
医療機器は、末端部に膨張性のバルーン含むことができる。この場合、その方法は、更に、器具の末端部が、医療機器に係合している裏返されたスリーブの部分とともに、体腔内へ挿入されたあとに、バルーンを膨張させる行程を含む。これは、医療機器を解放するように、裏返されたスリーブ部分を裏返されていない位置に戻すという結果をもたらす。
【００４８】
前記方法は、更に、摩擦を低減するガス及び悪臭の防壁の層で、機器の表面をコーティングする行程を備える。その層は、数ミクロンの厚さであり、パリレンで形成されている。それは、機器の表面に真空蒸着される。
【００４９】
これらのそして他の目的は、以下において明らかになるであろう。本発明は、同種の符号が同種の部分を示している添付の図面とともに、次の明細書と添付の特許請求の範囲とに詳しく記載された糞便処理機器と、体腔へ機器の端部を挿入するための方法及び器具に関する。
【００５０】
本発明は、直腸又は瘻孔のための排泄物処理機器において、末端部及び基端部を有する長い管状部材と、前記末端部を取り囲む膨張性のバルーンと、前記バルーンに操作可能に接続された、外部から使用しうる膨張管と、排泄物の収集容器と、前記容器を前記管状部材の基端部に取り外し可能に取り付けるための手段と、を備え、前記管状部材の末端部が、全体に柔らかい弾性のある材料で形成されていることを特徴とする。
【００５１】
上記発明は、さらに以下の構成を有することが好ましい。
（１）前記材料がシリコンである。
（２）更に、予め決められた最大の圧力で前記バルーンを膨張するための手段を備えている。
（３）前記バルーンが、全体に柔らかい弾性のある材料で形成されている。
（４）前記バルーンが、完全に膨張した形状で形成されている。
（５）前記バルーンが、シリコンで形成されている、請求項１記載の機器。
（６）前記管状部材が壁を備え、前記膨張管の少なくとも一部が前記壁に結合されている。
（７）前記管状部材が、内面を有する壁を備え、前記膨張管の少なくとも一部が前記壁内面と一体である。
（８）前記管状部材が、前記膨張管が通じて延びる開口を有する壁を有している。
（９）更に、前記管状部材の末端部の近くに端部を有する、外部から使用しうる洗浄管を備えている。
（１０）前記構成（９）において、前記管状部材が壁を備え、前記洗浄管の少なくとも一部が前記壁に結合されている。
（１１）前記構成（９）において、前記管状部材が、内面を有する壁を備え、前記洗浄管の少なくとも一部が前記壁内面と一体である。
（１２）前記構成（９）において、前記管状部材が、前記洗浄管が通じて延びる開口をもつ壁を有している。
（１３）前記膨張管が、ほとんど前記管状部材の長さ全体に延びている。
（１４）前記構成（９）において、前記洗浄管が、ほとんど前記管状部材の長さ全体に延びている。
（１５）前記管状部材が壁を有し、前記膨張管が、ほとんど前記管状部材の長さ全体に沿って壁に結合されている。
（１６）前記管状部材が、内面をもつ壁を有し、前記膨張管が、ほとんど前記管状部材の全長に沿って壁内面に結合されている。
（１７）更に、前記膨張管に膨張流体を供給するための手段を備えている。
（１８）前記構成（１７）において、前記膨張供給手段が注射器を備えている。
（１９）前記構成（１８）において、前記注射器が、プランジャと、スプリング又はスプリング機構と、を備えている。
（２０）前記膨張管が、前記管状部材内に位置づけられた部分と、前記管状部材外の部分とを有している。
（２１）前記構成（９）において、前記洗浄管が、前記管状部材内に位置づけられた部分と、前記管状部材外の部分とを有している。
（２２）前記構成（２）において、前記膨張させる手段が、圧力計を備えている。
（２３）前記構成（９）において、更に、前記洗浄管に洗浄流体を供給するための手段を備えている。
（２４）前記容器取り付け手段が、開口を有するプレートと、前記プレートの開口と一直線上に前記プレートに前記管状部材の前記基端部を結合するための手段と、を備えている。
（２５）前記構成（２４）において、前記結合手段が、前記プレートに相対する前記管状部材の基端部の回転を許容する手段を備えている。
（２６）前記構成（２５）において、前記回転許容手段が、前記管状部材の基端部を受け入れるように適合する第１の部分と、前記プレートに設けられた第２の部分とを備え、前記第１の部分が第２の部分に回転可能に取り付けられている。
（２７）前記構成（２４）において、前記プレートが、更に、前記膨張管を保持するための手段を備えている。
（２８）前記構成（９）において、前記容器取り付け手段が、開口を有するプレートと、前記プレートの開口と一直線上に前記プレートに前記管状部材の前記基端部を結合するための手段と、を備えている。
（２９）前記構成（２８）において、前記プレートが、更に、前記洗浄管を保持するための手段を備えている。
（３０）前記構成（２４）において、更に、前記プレートを静止部材に結合するための手段を備えている。
（３１）前記構成（２４）において、前記容器取り付け手段が、第１，第２の相互係合連結部分を備えている。
（３２）前記構成（３１）において、前記第１連結部分が、前記プレート開口の周囲で前記プレートに固定されている。
（３３）前記構成（３１）において、前記容器が、開口を有する壁を備え、前記第２の連結部分が、前記壁の開口の周囲で容器の壁に固定されている。
（３４）前記構成（３２）において、前記容器が、開口を有する壁を備え、前記第２の連結部分が、前記壁の開口の周囲で前記容器の壁に固定されている。
（３５）体腔へ挿入されるように適応した前記管状部材の末端部が、更に、前記機器から分離された挿入器具を備えている。
（３６）前記構成（３５）において、前記挿入器具が、末端部及び基端部を有する実質的に堅くて長い芯と、末端部と基端部とを有するスリーブと、を備え、前記芯の前記末端部を超えて延びる前記スリーブの前記末端部の部分をもたせた状態で、前記芯が前記スリーブ内にいくらかの距離で受け入れられ、前記スリーブの部分が、前記機器に係合するように裏返すことができる。
（３７）前記構成（３６）において、前記スリーブが前記芯に結合されている。
（３８）前記構成（３６）において、前記スリーブの前記部分が、実質的にふくらんだ形状である。
（３９）前記構成（３６）において、前記スリーブの前記部分が、柔らかい弾性のある材料で形成されている。
（４０）更に、摩擦を減少させるコーティングを備えている。
（４１）更に、ガスと悪臭を阻む材料のコーティングを備えている。
（４２）前記構成（４０）において、前記コーティングが数ミクロンの厚さである。
（４３）前記構成（４１）において、前記コーティングが数ミクロンの厚さである。
【００５２】
さらに、本発明は、硬質の芯と芯を超えて延びるスリーブの部分とを有する挿入器具を利用して、体腔内に医療機器の末端部を挿入するための方法において、前記スリーブの部分に非常に近い器具の近くに、医療機器の末端部を配置する行程と、医療機器の末端部を係合のために覆うようにスリーブ部分を裏返す行程と、裏返されたスリーブ部分と係合された医療機器の端部とともに、器具の端部を体腔へ挿入する行程と、器具から機器を分離し器具を引き出す行程と、を備えていることを特徴とする。
【００５３】
上記発明は、さらに以下の構成を有することが好ましい。
（１）更に、スリーブ部分を裏返す前に、医療機器の末端部を器具に巻き付ける行程を備えている。
（２）医療機器の末端部がバルーンを含み、更に、スリーブの部分を裏返す前に、バルーンを器具に巻き付ける行程を備えている。
（３）挿入器具が、前記スリーブの部分を一部分として構成しているスリーブを備え、更に、前記スリーブへ硬質の芯を挿入し、前記スリーブに前記芯を付着する行程を備えている。
（４）医療機器が、末端部に膨張性のバルーンを含み、更に、裏返されたスリーブの部分と係合された医療機器の端部とともに、器具の端部が体腔内に挿入されたあと、スリーブの部分を裏返していない配置に戻すようにバルーンを膨張し、器具から機器を分離する行程を備えている。
（５）更に、摩擦を低減する材料で機器の表面をコーティングする行程を備えている。
（６）更に、ガスと悪臭を阻む材料で機器の表面をコーティングする行程を備えている。
（７）前記構成（５）において、コーティングする行程が、真空蒸着行程を備えている。
（８）前記構成（６）において、コーティングする行程が、真空蒸着行程を備えている。
【００５４】
〔発明の詳細な説明〕
図１に示すように、本発明の医療機器は、概してＡで示された長く曲がりやすい管状部材を含み、管状部材は、体腔内に挿入されるように設計された末端部１０と基端部１２とを有している。部材Ａは、好ましくはおよそ１ｍの長さで、直径２３ｍｍである。それは、肛門括約筋を通した通過を容易にするために直径８ｍｍまでつぶれる。
【００５５】
概してＢで示された糞便容器は、概してＣで示されたアダプタープレートを通して部材Ａの基端部１２に回転可能に接続されている。部材Ａの末端部１０の外表面に付着されたものは、図１でしぼんだ状態で示された、低圧で膨張するバルーン１４である。
【００５６】
バルーン１４は、例えば、空気、水又は生理食塩水のような流体により、５２ｍｍＨｇ（１．０ポンド／平方インチ）以下の圧力で、膨張管１６を通して約直径５８ｍｍまで膨張する。管１６は、ルアータイプのバルブ接続具１７によって、例えば注射器のような膨張流体源に接続されている。注射器は、バルーンをしぼませるため、膨張流体を引き込むのにも用いられる。
【００５７】
好ましくは、第２の洗浄管２０も提供される。管２０は、部材Ａの末端部１０の端まで延び、ルアータイプのバルブ接続具２１によって、注射器２２のような洗浄流体源に接続されている。管１６，２０は好ましくは直径１ｍｍ〜１．５ｍｍである。
【００５８】
部材Ａの末端部１０とバルーン１４は、体の組織を傷つけないように、共に全体に柔らかい弾性のある材料で作られている。材料は、例えば、シリコンとすることができる。
【００５９】
概してＤで示された、分離した挿入器具は、直腸内への部材Ａの末端部１０の挿入と配置とを容易にするために提供される。以下に説明するように、器具Ｄは堅い。それは、部材Ａの末端部１０に係合し、腸への挿入と位置づけを容易にするように設計されている。器具Ｄは、体内に部材Ａの柔らかく弾性のある末端部１０だけが残るように、医療機器から分離され、体腔から取り出される。
【００６０】
最も良く示された図２のように、バルーン１４は、機器Ａの末端部１０を取り囲む。好ましくは、バルーンは、完全に膨張したときに環状形になる。バルーンの壁は、好ましくは、完全に膨張したかたちで製造される。それは、組織にとって潜在的に有害な圧力よりも低い圧力でバルーンが最終形状にまで膨張するのを許容するような材料で形成される。以下に詳述するように、バルーン１４内の流体の圧力は、バルーンが周囲の組織に対して予め決定されたレベルを超えた圧力を供給できないように、注意深く調節される。
【００６１】
図３に示すように、膨張管１６及び洗浄管２０は、好ましくは部材Ａの壁の内面と一体な部分として形成される。管１６，２０のいずれも、部材Ａ内に延びる部分と、各流体源１８，２２への結合のために、部材Ａの壁の各開口２４，２６を通して延びる部分とを有する。好ましくは、管１６，２０の内側部分は、部材Ａの全長に沿って延びている。部材Ａの長さに沿ったあらゆる部分に位置する管の外側部分とともに、部材Ａを製造することが可能である。
【００６２】
膨張管１６は、部材Ａの末端部１０の端の近くに閉鎖された端部を有している。しかしながら、膨張流体（たいてい水又は生理食塩水）がバルーンを膨張させるためにバルーン１４に導入され、且つバルーンをしぼませるためにバルーンから取り除かれることを許容するように、通路２８が、管１６をバルーン１４の内部に接続している。
【００６３】
洗浄管２０は、部材Ａの末端部１０の端に最も近い位置まで延び、洗浄流体が腸内に導入されうるように、開放した端部を有している。洗浄流体は、注射器２２のような源から必要に応じて供給される。
【００６４】
バルーンの膨張システムは、２通りの機能を果たす。それは、例えば、予め決められたレベルで注射器のプランジャに負荷をかけるスプリングにより、組織に対して望ましい圧力が維持されるように、内部圧力が増加した場合にバルーンが大きくしぼむことを許容する。あるいはまた、バルーンは、圧力が一旦挿入物に到達された場合に、量を固定させることができる。腸がゆるめられたとき同時にこれがなされた場合、組織への圧力は、腸が収縮したときに増加するであろう。これは、定期的な事象であるので、組織は収縮と収縮の間に十分に血液に富むであろう。
【００６５】
管状部材から距離をおいて、バルーンが膨張され、圧力が調節される。膨張管１６は、バルーンから体の外側に位置する膨張流体源まで延びる。流体源は、手動で操作することができ、又は、電子的又は機械的システムによって調節することができる。
【００６６】
好ましい一実施形態において、バルーンは、注射器１８のような流体容器に操作可能に接続される。注射器は、直径１〜１．２５インチの間のシリコンプランジャシールとバレルとを有する６０ｃｍ３の市販用のボリカーボネート製ルアーロック注射器とすることができる。注射器の容量は、プランジャに供給された力に完全に依存した圧力以下で流体を収容するように、変更することができる。適切な力のスプリング１９を伴う注射器１８のプランジャに負荷を与えるスプリングは、望ましい圧力を内部のバルーンに与えるだろう。バルーンへの流体の通路は、圧力を維持するために開いたままに維持することができ、又は、バルーンの容量を維持するためにバルブ又はクランプ２３によって閉じることができる。シリンダ内の圧力は、こうしてバルーンのサイズ、ひいては組織に適用される圧力を決定する。
【００６７】
正確な圧力の計測のため、バルーンの弾性力が考慮されなければならない。しかしながら、バルーンが望ましい完全に膨張した形状で製造される場合、バルーンを作る材料の弾性の影響は小さい。予め決定されたサイズ次第で、バルーン内の圧力が組織に及ぼす圧力を決定するだろう。
【００６８】
介護者が患者の生体構造にとってあまりに小さいバルーンを使用する状況があるかもしれない。この状況においては、バルーンは、圧力の増加無しで規定量に膨張するであろう。それゆえ、バルーンは、封をするために十分に生体構造を圧縮していない。反対に、規定量の流体の導入によってバルーンの圧力が限界を超過する場合、介護者は、バルーンが患者の生体構造にとって大きすぎることを知ることができる。
【００６９】
あるいはまた、バルーンが膨張したときに圧力が監視されている場合は、介護者はバルーンが大きすぎるか小さすぎるかを知ることができる。上記のように、バルーンが小さすぎる場合、規定量全体が注入されても、バルーンの圧力は規定圧力に到達していない。反対に、バルーンが大きすぎる場合、最大圧力が、流体の規定量の注入に先立って到達されるだろう。バルーン内の容量計測の正確さは、圧縮できない流体を使うことによって、又は、気体が使われている場合は理想気体の法則による圧力増加の補償によって、維持することができる。
【００７０】
機器は、例えば、流体と殆ど一定力のスプリングとの間のプランジャを有する注射器１８のような、弾力のある機械システムによってほとんど一定の圧力下に維持された、予め満たされた流体容器を備えることができる。プランジャを圧縮するスプリングは、望ましい圧力で流体を維持するだろう。一旦機器が患者に挿入されると、シリンダの流体が望ましい圧力でバルーンを満たし膨張させることを許容するように、バルブ又はクランプ２３が開かれるだろう。バルブ又はクランプ２３は、時間とともに、圧力が維持されるように開けっ放しにすることができ、又は、一定の容量を維持するように閉鎖することができる。
【００７１】
同様の構成要素は、流体をもたないで流体供給ポート２５により流体を供給することができる。介護者は、流体を供給し、そして、流体の量が既知の範囲になるように圧力を供給するであろう。スプリング１９によって後退された注射器のプランジャは、圧力ゲージとして機能するであろう。介護者は、一旦好ましい圧力に達すると、流体の注入をやめるように教わるであろう。注入された流体が規定範囲内にない場合は、バルーンは誤った大きさになり、取り除かれなければならない。
【００７２】
あるいはまた、膨張システムは、介護者が単に目標圧力まで装置を膨張させることを許可するように、管１６に付属した簡単な圧力ゲージ２７を含むことができる。この構成は、一旦挿入物上で圧力が決められると、固定された容量の状態で機能するシステムを要求する。それは、その中に含まれた圧力ゲージを伴う注射器プランジャを製造することを可能にする。プランジャの軸は、注射器のバレル内の流体の圧力を示す一体とされた又は組み立てられたスプリングを含むことができる。スプリングは、プランジャの軸の２つの部分の間に間隙を形成する。圧力が増加したとき、スプリングは、圧縮され、プランジャの２つの部分が共に閉じるように移動する。２つの部分のスケールは、互いの相対的な位置によって圧力を示すことができる。
【００７３】
図１，４及び５を参照すると、部材Ａの基端部１２が第１及び第２部分３０によってアダプタープレートＣに回転可能に接続されている。部分３０は、概して管状形で、部材Ａの内径と実質的に大体同じかわずかに大きい外径を有している。部材Ａの基端部１２は、部分３０の一端部上に受け入れられ固定される。
【００７４】
部分３０の他端部は、回転可能に部分６０に受け入れられ、部分６０は、概して管状の中央部分を有している。しかしながら、部分３０は、部分６０に嵌め込まれたときに、部分３０と部分６０との間の回転を禁止する摩擦が生じないようなサイズに形成されている。
【００７５】
プレートＣを通じる円形の開口があり、開口を通って部分３０の端部３８が延びている。部分３０は、プレートＣに取り付けられたときに部材Ａからポーチまでの排泄物の通路を作り出す。
【００７６】
部分３０の外面は、外方へ延び、間隔があけられた一対の円周表面の突出部４０，４２を有し、突出部は、円周の凹部又は溝４４を定義する。プレートＣの内面は、内方へ延びる環状の突出部４６を有し、突出部は、部分３０及び部材Ａの基端部１２がプレートＣに相対して手動で回転することを許容するように、溝４４内に受け入れられるように適用される。
【００７７】
プレートＣは、好ましくはプラスチックで形成され、概して、開口３４が広がる円形部分５０を下部にもった本体を有している。部分３２は、部分５０の一側に固定され、端部１２を覆うように機能する。プレートＣの部分５０の他側は、環状の突出部か又は表面に溶接されたリングの形態の、第１の相互係合部分５２を備えている。部分５２は、プレートＣにおいて開口３４を取り囲む。容器Ｂは好ましくは一般的なオストミーポーチ５５の形態をとることができる。
【００７８】
ポーチ５５は、ポーチの壁に溶接された環状通路の形態である第２相互係合部分５４によって定義された入口開口を含む。部分５２は、部分５４にスナップ方式で取り外し可能に受け入れられている。
【００７９】
相互係合部分５２，５４の輪郭は、部分が係合され、ポーチがプレートに結合されたときに、流体の密シールが形成されるように、形作られている。このシールは、満たされたポーチの重みが偶発的にポーチの結合の原因となるのを妨げるほどに強い。
【００８０】
このタイプの相互係合部分は、技術的に周知であり、一般に２要素のオストミー機器に用いられている。本発明にとって好ましい特有の連結構造は、ニュージャージー州ローレンスビル、ブリストル−マイヤーズ  スクイブ  カンパニー所有のキルゴーによる１９９７年１２月２日発行米国特許第５６９３０３６号「連結部材を有する円形体及び閉鎖部材のアンダーカット構造の射出成形方法」に開示されている。
【００８１】
ポーチ５５は、好ましくは１〜１．５リットルの容積を有している。それは、互いに溶着されたプラスチックフィルムの多層構造である。それは、オストミーポーチに共通する、悪臭防止のための活性炭フィルター５６を備えることができる。フィルター５６は、ポーチ内で圧力が増加しないように、腸内ガスをポーチ内部から逃がすことを許容する。好ましくは、ポーチＢの外壁は透明であり、計測用のマーキングが形成される。ポーチは逆止弁として作用するためのフィルムの層を含むこともできる。
【００８２】
プレートＣの本体部の頂部６０は実質的に矩形状であり、膨張管１６及び洗浄管２０を装着のために受け入れて適合させる開口６３，６５をそれぞれ有する第１，第２の部分６２，６４を含む。この方式において、管１６，２０の外側部分は、プレートＣによって保持可能であり、介護者又は患者のじゃまをすることがない。
【００８３】
プレートＣは、ベッドレール７０のような静止物につるすように設計されている。この目的のためにクリップ７２が設けられている。クリップ７２は、プレートＣの部分６０から上方へ延び、常套手段によりベッドレール７０に支持されることが可能である。
【００８４】
摩擦を少なくしガスと悪臭の防壁を提供するため、パリレン７４の薄いコーティングが、部分３０を受け入れる部材Ａの端部１２の内面部分を除く部材Ａの内外面に、真空蒸着されている。パリレンのコーティングは、好ましくは数ミクロンの厚さである。バルーン１４の表面は、パリレンでコーティングされていない。そのようなコーティングは、バルーンが偶発的に体から滑り出る原因になるかもしれないからである。
【００８５】
図１において、部材Ａから分離して現れるように器具Ｄが表現されており、図６において、部材Ａに係合して現れるように器具Ｄが表現されている。図７（ａ）〜図７（ｅ）には、挿入器具Ｄが、どのように部材Ａの末端部１０に係合するように用いられるか、そして、どのように肛門又は瘻孔を通して挿入されるか、の順序が表現されている。
【００８６】
器具Ｄは２つの部分から構成される。第１の部分は、末端部８２を有した曲がらないロッド又は軸の形態の、硬質プラスチックの長い芯部材８０である。ハンドル部分８４は、芯部材の基端部に設けられている。器具の第２部分は、成型により形成することができる、柔らかく弾性のあるシリコンスリーブ８６である。芯部材８０は、スリーブ８６内に受け入れられる。スリーブ８６は、接着又は他の適当な手段によって芯部材８０に固定される。この方法において、芯８０とスリーブ８６は、１つのユニットを形成するように共に結合される。
【００８７】
スリーブ８６の部分９０は、芯８０の末端部８２を超えて延びている。部分９０は概してふくらんだ形状であり、好ましくは約１５ｍｍの長さを有している。しかしながら、部分９０は、スリーブの直径の半分から数倍の間の範囲の長さにすることができる。図１及び図７（ａ）〜図７（ｃ）において、スリーブ８６の部分９０は、初期の裏返されていない状態で示されている。図６及び図７（ｄ）に示すように、部分９０は、部材Ａに係合し、バルーン１４を圧縮するように、しぼんだ状態のバルーン１４を含む部材Ａの末端部を覆って裏返すことができるように形成されている。
【００８８】
図７（ｂ）及び図７（ｃ）に示すように、部材Ａに係合するに先立ち、器具Ｄは、芯部材８０の端部８２の近くに末端部１０の端が位置づけられるように、部材Ａの末端部の近くに配置される。しぼんだ状態のバルーン１４は、器具Ｄの芯部材８０に巻き付けられる。図７（ｄ）に示すように、スリーブの部分９０は、バルーンが完全に圧縮されるように、部材Ａの端部を覆うように裏返される。しぼんだバルーンを含む部材Ａの末端部１０は、こうして器具Ｄにより係合される。この状態において、注目すべきは、裏返されたスリーブの部分９０が、腸の中への部材Ａと器具Ｄの挿入を容易にするため、柔らかく丸くなった器具Ｄの先端を形成することである。
【００８９】
腸内で正確に位置づけられると、部材Ａの末端部１０は器具Ｄから分離される。これは、器具Ｄを部材Ａから解放するために器具Ｄが末端へ動かされるとき、部材Ａを適所で保持することによって果たされる。器具Ｄは、そのとき腸から引き出されてもよい。しかしながら、解放は、バルーンの膨張によっても果たすことができる。図７（ｅ）に示すように、バルーン１４の膨張は、部材Ａから器具Ｄを分離するように、自動的にスリーブの部分９０を裏返していない状態に戻す。挿入器具Ｄは取り出した後廃棄される。
【００９０】
本発明は、全体に柔らかく弾性のある材料から作られ、体腔に挿入されるように設計された端部を有する医療機器に関することが、理解されよう。バルーンは、周囲組織の圧迫壊死を防止するように、予め決められた低い圧力レベルで膨張する。
【００９１】
本発明は、体腔へ医療機器を挿入するための方法及び器具にも関する。挿入器具は、裏返し可能な部分を形成する柔らかい弾性のあるスリーブによって取り囲まれた硬質の芯部材を含む。機器の末端部は、器具の近くに位置づけられる、バルーンは、器具に巻き付けられ、そして、スリーブの部分が、機器を覆うように裏返され、器具に係合し、バルーンを圧縮し、柔らかい丸まった挿入端を形成する。そのユニットは、そのとき、体腔に挿入される。機器が器具から分離された後、器具は引き出される。
【００９２】
本発明のたった一つの好ましい実施形態が説明のために開示されているが、多くの変形や修正が可能であることは明らかである。特許請求の範囲によって定義されているように、それは、本発明の範囲内に収まるこれらの変形や修正が全てカバーされることを意図している。
【図面の簡単な説明】
【００９３】
【図１】本発明の医療機器及び挿入器具の部分分解平面図である。
【図２】医療機器の末端部の断面図である。
【図３】図２の３−３線断面図である。
【図４】医療機器の基端部の断面図である。
【図５】図４の５−５線矢視図である。
【図６】挿入器具によって係合された医療機器の末端部の断面図である。
【図７（ａ）】挿入方法の各段階を説明する、医療機器及び挿入器具の末端部の順次的な概略図である。
【図７（ｂ）】挿入方法の各段階を説明する、医療機器及び挿入器具の末端部の順次的な概略図である。
【図７（ｃ）】挿入方法の各段階を説明する、医療機器及び挿入器具の末端部の順次的な概略図である。
【図７（ｄ）】挿入方法の各段階を説明する、医療機器及び挿入器具の末端部の順次的な概略図である。
【図７（ｅ）】挿入方法の各段階を説明する、医療機器及び挿入器具の末端部の順次的な概略図である。
【外国語明細書】
2011062533.tif 000014
2011062533.tif 000015
2011062533.tif 000016
2011062533.tif 000017
2011062533.tif 000018
2011062533.tif 000019
2011062533.tif 000020
2011062533.tif 000021
2011062533.tif 000022
2011062533.tif 000023
2011062533.tif 000024
2011062533.tif 000025
2011062533.tif 000026
2011062533.tif 000027
2011062533.tif 000028
2011062533.tif 000029
2011062533.tif 000030
2011062533.tif 000031
2011062533.tif 000032
2011062533.tif 000033
2011062533.tif 000034
2011062533.tif 000035
2011062533.tif 000036
2011062533.tif 000037
2011062533.tif 000038
2011062533.tif 000039
2011062533.tif 000040
2011062533.tif 000041
2011062533.tif 000042
2011062533.tif 000043
2011062533.tif 000044
2011062533.tif 000045
2011062533.tif 000046
2011062533.tif 000047
2011062533.tif 000048
2011062533.tif 000049
2011062533.tif 000050
2011062533.tif 000051
2011062533.tif 000052
2011062533.tif 000053